(57)【要約】【課題】軽量化した照明器具を提供する。【解決手段】照明器具１は、光源が収められた本体部２２と、本体部２２に取り付けられた複数の薄板状の放熱フィン４２と、を備え、放熱フィン４２は１枚以上の薄板を折り曲げて形成されている構成とする。【選択図】図６
2017103104.tif 000002
【特許請求の範囲】
【請求項１】
光源が収められた本体部と、
前記本体部に取り付けられた複数の薄板状の放熱フィンと、
を備え、
前記放熱フィンは１枚以上の薄板を折り曲げて形成されていることを特徴とする照明器具。
【請求項２】
前記放熱フィンはカチオン電着塗装が施されていることを特徴とする請求項１に記載の照明器具。
【請求項３】
前記放熱フィンは前記本体部の取付面に接触する固定部を備え、
前記固定部には取付孔が設けられ、
前記本体部の取付面に設けられた突起が前記取付孔を貫通した状態でカシメによって固定されていることを特徴とする請求項１又は２に記載の照明器具。
【請求項４】
前記放熱フィンは前記本体部の取付面に接触する固定部を備え、
前記本体部の取付面に位置決め突起を有し、
前記放熱フィンの固定部には、前記位置決め突起に対応する位置に位置決め穴が設けられていることを特徴とする請求項１乃至３のいずれかに記載の照明器具。
【請求項５】
前記本体部は、ダイカストであり、前記放熱フィンを取り付ける取付面の前記放熱フィンの周囲にフィン部を一体に備え、
前記放熱フィンの前記取付面からの高さは前記フィン部より高いことを特徴とする請求項１乃至４のいずれかに記載の照明器具。
【発明の詳細な説明】
【技術分野】
【０００１】
本発明は、放熱フィンを備えた照明器具に関する。
【背景技術】
【０００２】
従来、光源にＬＥＤ等の発光素子を備えるとともに、この発光素子の熱を放熱する放熱フィンを備えた照明器具が知られている（例えば、特許文献１参照）。この照明器具の放熱フィンは、アルミダイカストによって本体部に一体に形成されている。
【先行技術文献】
【特許文献】
【０００３】
【特許文献１】特開２０１５−０２２８１５号公報
【発明の概要】
【発明が解決しようとする課題】
【０００４】
しかしながら、上述した従来の構成では、放熱フィンがアルミダイカストによって成型されているため、放熱フィンの重量が大きくなり、ひいては、本体部の重量が大きくなる。特に、高天井照明器具においては、器具の軽量化が望まれている。
本発明は、上述した事情に鑑みてなされたものであり、軽量化した照明器具を提供することを目的とする。
【課題を解決するための手段】
【０００５】
上述した目的を達成するために、本発明の照明器具は、光源が収められた本体部と、前記本体部に取り付けられた複数の薄板状の放熱フィンと、を備え、前記放熱フィンは１枚以上の薄板を折り曲げて形成されていることを特徴とする。
【０００６】
上述の構成において、前記放熱フィンはカチオン電着塗装が施されていてもよい。
上述の構成において、前記放熱フィンは前記本体部の取付面に接触する固定部を備え、前記固定部には取付孔が設けられ、前記本体部の取付面に設けられた突起が前記取付孔を貫通した状態でカシメによって固定されていてもよい。
上述の構成において、前記放熱フィンは前記本体部の取付面に接触する固定部を備え、前記本体部の取付面に位置決め突起を有し、前記放熱フィンの固定部には、前記位置決め突起に対応する位置に位置決め穴が設けられていてもよい。
上述の構成において、前記本体部は、ダイカストであり、前記放熱フィンを取り付ける取付面の前記放熱フィンの周囲にフィン部を一体に備え、前記放熱フィンの前記取付面からの高さは前記フィン部より高くてもよい。
【発明の効果】
【０００７】
本発明によれば、薄板状の放熱フィンを本体部と別体に備えたため、例えば本体部がダイカスト製であっても照明器具を軽量化できる。
【図面の簡単な説明】
【０００８】
【図１】本発明の実施形態に係る高天井照明器具の全体構成を示す斜視図である。
【図２】高天井照明器具の構成を示す図であり、（Ａ）は平面図、（Ｂ）は側面図、（Ｃ）は底面図である。
【図３】天板を除いた状態の照明器具本体の構成を示す図であり、（Ａ）は平面図、（Ｂ）は側面図、（Ｃ）は底面図である。
【図４】リングの構成を示す図であり、（Ａ）は平面図、（Ｂ）は（Ａ）のＡ−Ａ断面図、（Ｃ）は（Ｂ）の矢印Ｂで示した部位の拡大図である。
【図５】高天井照明器具の組立図である。
【図６】照明ユニットの構成を示す斜視図である。
【図７】照明ユニットの平面図である。
【図８】図７のＣ−Ｃ断面図である。
【図９】照明ユニットの分解斜視図である。
【図１０】照明ユニットの組立図である。
【図１１】筐体の構成を示す斜視図である。
【図１２】非固定状態の放熱フィンユニット４０を示す斜視図である。
【図１３】非固定状態の放熱フィンユニット４０を示す図であり、（Ａ）は平面図、（Ｂ）は側面図である。
【図１４】塗装時の放熱フィンユニット４０を示す斜視図である。
【図１５】塗装時の放熱フィンユニット４０を示す図であり、（Ａ）は平面図、（Ｂ）は側面図である。
【図１６】本発明の変形例に係る高天井照明器具の全体構成を示す斜視図である。
【図１７】本発明の他の変形例に係る高天井照明器具の全体構成を示す斜視図である。
【発明を実施するための形態】
【０００９】
以下、図面を参照して本発明の実施形態について説明する。
この実施形態では、本発明に係る照明器具の一例として高天井照明器具を説明する。天井照明器具は、建物の天井面から吊下げられて設置されて室内を照明する器具であり、高天井照明器具は、室内の天井高が住戸やオフィス等の一般的な居室よりも大きい工場や倉庫、体育館等の天井面に設置される器具である。
【００１０】
図１は、本実施形態に係る高天井照明器具１の全体構成を示す斜視図である。図２は高天井照明器具１の構成を示す図であり、図２（Ａ）は平面図、図２（Ｂ）は側面図、図２（Ｃ）は底面図である。
高天井照明器具１は、図１に示すように、照明器具本体２と、電気回路ボックス３と、固定具４と、を備えている。
この照明器具本体２は、複数（図示例では２つ）の照明ユニット（灯具）１０と、天板１２と、リング状外枠（外枠）１４とを備え、これら照明ユニット１０は、天板１２から垂下され、かつ、下端部側がリング状外枠１４によって包囲されている。
【００１１】
照明ユニット１０は、光源を内蔵し、光源の光を出射する光出射部１１を有したユニットである。
天板１２は円盤状の板材であり、複数の照明ユニット１０の重量を支えるに足る剛性を有し、この天板１２の下面１２Ａから複数の照明ユニット１０が垂下される。照明ユニット１０の下端部には光出射部１１が位置し、この光出射部１１から出射される光によって室内が照明される。
リング状外枠１４は、複数の照明ユニット１０の下端部を纏めるように包囲する環状部材である。
【００１２】
電気回路ボックス３は、照明ユニット１０が備える光源の点滅に要する電気回路を収めた略直方体の箱体である。この照明器具本体２では、照明ユニット１０の光源に発光素子が用いられており、電気回路ボックス３には、発光素子に直流電力を供給する電源回路、及び、点滅や調光を制御する制御回路が収められている。なお、これらの電気回路の他にも、各種の電気回路を電気回路ボックス３に収めることができる。
この高天井照明器具１では、電気回路ボックス３が照明器具本体２の天板１２の上面１２Ｂ（図２（Ａ））に載置されて固定されている。
【００１３】
固定具４は、照明器具本体２を建物の天井面に固定する部品であり、照明器具本体２の天板１２に取付け固定されている。この固定具４には、図１、及び図２に示すように、コ字状のアーム型の金具が用いられている。このアーム型の金具に代えて、固定具４には、天井面から垂下され下端に照明器具本体２が結合される棒状部材やチェーン部材を用いることもできる。
【００１４】
図３は天板１２を除いた状態の照明器具本体２の構成を示す図であり、図３（Ａ）は平面図、図３（Ｂ）は側面図、図３（Ｃ）は底面図である。
照明器具本体２は、複数の照明ユニット１０を相互に連結する部材として上記リング状外枠１４、及び、連結具１６を備えている。
具体的には、全ての照明ユニット１０は、その光出射部１１の出射開口端部を構成するフランジ部１１Ａが、図３（Ａ）に示すように、ネジ１５によってリング状外枠１４に締結されている。
【００１５】
さらに、全ての照明ユニット１０は、図３（Ａ）〜図３（Ｃ）に示すように、これら照明ユニット１０の配列の平面視中央に配置された連結具１６によって相互に連結されている。連結具１６は、その周囲に配置された照明ユニット１０のフランジ部１１Ａがネジ止めされることで、これらの照明ユニット１０を相互に連結する板状の部材である。
これにより、照明ユニット１０が個々にグラつく事が防止されるため、工場や体育館等の振動が多い場所に設置された場合でも、振動によって照明ユニット１０が個々にグラつき互いに衝突する、といった事が抑制される。また、リング状外枠１４によって照明ユニット１０を相互に連結することで、連結具１６に力が集中することを防止でき、その結果、連結具１６を軽量及び小型化できる。さらに、リング状外枠１４によって高天井照明器具１の剛性を向上させることができるので、各照明ユニット１０の肉厚を薄くでき、高天井照明器具１を軽量化できる。
【００１６】
リング状外枠を設けない場合には、照明ユニットの配列の中央部を中心として複数の照明ユニット全体に回転方向の力が加わると、照明ユニットの配列の中央部に力が集中するので、当該中央部に位置する連結具を強固に形成する必要がある。本実施形態では、リング状外枠１４を設けることで、上記回転方向の力が加わっても、当該力をリング状外枠１４で受けることができるので、リング状外枠１４を設けない場合に比べ、連結具１６を軽量及び小型化できる。
【００１７】
複数の照明ユニット１０は、照明ユニット１０間に所定の隙間δを空けて配置されて、連結具１６によって固定されている。当該隙間δは、部品の寸法や組立の交差があっても、照明ユニット１０間に隙間が形成される程度に設定される。これにより、例えば、振動が多い場所に高天井照明器具１が設置されても、照明ユニット１０が相互に接触することを抑制できる。
フランジ部１１Ａとリング状外枠１４との固定部以外は、各照明ユニット１０とリング状外枠１４との間が空間Ｓとなっている。当該空間Ｓに板材を設けても良いが、高天井照明器具１では、空間Ｓに板材を設けないことで、板材を設ける場合に比べて、板材の分だけ軽量化できるとともに、板材に塵埃等がたまるのを防止できる。
【００１８】
また、高天井照明器具１は、天井高が高い天井面に設置されることから、一般需要者は、専ら高天井照明器具１の底面を視認することになる。高天井照明器具１の底面視においては、図２（Ｃ）に示すように、複数の照明ユニット１０の周囲をリング状外枠１４が縁取っているので、これら照明ユニット１０に一体感を持たせ、一般需要者に美観を持たせることができる。さらに、このリング状外枠１４を、複数の照明ユニット１０を配置した際の最大外径より大きく形成しているため、複数の照明ユニット１０の一体感をより増すことができる。
さらに、図２（Ｂ）、及び図３（Ｂ）に示すように、リング状外枠１４の高さＨは、照明器具本体２の側面視において、各々の照明ユニット１０の側面を外部に十分に露出させる程度に制限されているため、露出部分を通じて照明ユニット１０のそれぞれの熱を外部に十分に放熱できる。
【００１９】
図４はリング状外枠１４の構成を示す図であり、図４（Ａ）は平面図、図４（Ｂ）は図４（Ａ）のＡ−Ａ断面図、図４（Ｃ）は図４（Ｂ）の矢印Ｂで示した部位の拡大図である。
リング状外枠１４は、図４（Ａ）に示すように、平面視円環状を成し、また、図４（Ｂ）、及び図４（Ｃ）に示すように、円環板状の天面部１７と、天面部１７の外周縁を垂直に折り曲げて成る側面部１８とを有した断面はＬ字状を成している。断面がＬ字を成すことで、剛性が高められている。
リング状外枠１４の天面部１７には、複数のネジ孔１９が設けられており、各ネジ孔１９に通したネジ１５によって照明ユニット１０の各々がリング状外枠１４に結合される。
【００２０】
図５は、高天井照明器具１の組立図である。
この図に示すように、複数の照明ユニット１０は、上記リング状外枠１４、及び連結具１６によって相互に結合され、かつ、照明ユニット１０が個々に天板１２に支持ボルト７で支持される。
このように、この高天井照明器具１にあっては、これら照明ユニット１０が相互に結合される構成に加え、これら照明ユニット１０が個々に天板１２に固定された構成となっている。これにより、これら照明ユニット１０の一部に、天板１２との間の支持力の低下が生じたとしても、当該支持力の低下が他の照明ユニット１０の支持力によって補われ、天板１２からの照明ユニット１０の脱落が防止される。
【００２１】
本実施形態では、複数の照明ユニット１０を天板１２、リング状外枠１４及び連結具１６によって固定し、高天井照明器具１の剛性が高められているため、例えば、照明ユニット１０を固定する支持ボルト７の本数を減らすことも可能となる。その結果、部品点数を削減するとともに、製造工程を簡素化できる。
【００２２】
図６は照明ユニット１０の構成を示す斜視図であり、図７は照明ユニット１０の平面図である。図８は図７のＣ−Ｃ断面図である。図９は照明ユニット１０の分解斜視図である。図１０は照明ユニット１０の組立図である。図１１は筐体２０の構成を示す斜視図である。
照明ユニット１０は、図６に示すように、ユニット本体たる筐体２０と、グローブ２１とを備えている。
筐体２０は、アルミダイカストによって成型されたものであり、有底円筒状の本体部２２を備え、図８、及び図９に示すように、この本体部２２には、照明ユニット１０の光源２５と、光制御体たる反射カバー２６とが収められている。本体部２２の開口端がフランジ状に形成されて光出射部１１のフランジ部１１Ａが構成されている。このフランジ部１１Ａには、図９に示すように、パッキン２７を間に挟んで、透明樹脂製のグローブ２１がネジ止め固定されている。
【００２３】
光源２５は、図９に示すように、略矩形の光源基板２９を備え、この光源基板２９に発光部３０が設けられている。発光部３０は、複数のＬＥＤを集合させて光源基板２９に実装して成り、見た目がＣＯＢ（Chip on board）型ＬＥＤ光源のような面状光源である。すなわち、ＣＯＢ型ＬＥＤは、密集配置された多数のＬＥＤ（発光素子）によって発光面が構成されており、この発光部３０においても、複数のＬＥＤの集合によって発光面３０Ａが構成されている。この発光面３０Ａは、光源基板２９の略中央に配置され、所定面積を有した平面視円形であり、光軸Ｋは発光面３０Ａに垂直となっている。
そして、筐体２０の底面２３に凸状に設けられた取付台座２４には、図８に示すように、照明ユニット１０の光出力の設計値に応じた数の光源２５が配置されている。
複数の光源２５が凸状の取付台座２４にそれぞれ設けられているので、これらの光源２５を底面２３の同一面内に設けた場合に比べ、底面２３の面内方向への熱の伝達が弱められる。これにより、光源２５同士の熱の干渉が抑えられ、また、底面２３に熱的に結合させて設けられたフィン部４７に光源２５の熱が効率よく伝達される。
反射カバー２６は、図９に示すように、光源２５ごとに設けられた反射ミラー３２を一体に備え、光源２５の放射光を制御する。
【００２４】
この筐体２０は、本体部２２の上面２２Ａ（図７）に、放熱フィンユニット４０、及び支持脚ユニット４１を備えている。放熱フィンユニット４０は、アルミダイカスト製の本体部２２とは異なり、高熱導電性を有する薄い板材から形成されている。具体的には、この放熱フィンユニット４０は、図９に示すように、多数の金属板状の放熱フィン４２を一体に備え、本体部２２の上面２２Ａにネジ止め固定されている。
放熱フィンユニット４０を本体部２２に別体に備えることで、放熱フィンユニット４０を本体部２２に一体にアルミダイカスト成型した場合に比べ、筐体２０の大きな軽量化が図られる。
【００２５】
支持脚ユニット４１は、図９に示すように、天板１２に支持ボルト７で固定される２本の柱状の支持脚４４を備え、２本の支持脚４４の間に板状のフィン部４５を備えている。支持脚４４を設けることで、取り付け面（本実施形態では、天板１２）に本体部２２を直接固定できるので、高天井照明器具１の設置の自由度を向上させることができる。
支持脚ユニット４１は、筐体２０の本体部２２と同じくアルミダイカスト製であり、フィン部４５に高い放熱性が得られ、また支持脚４４がフィン部４５で連結されることで、高い剛性が確保されている。
支持脚ユニット４１は、図１０に示すように、フィン部４５が放熱フィン４２間に位置するように配置され、本体部２２の上面２２Ａにネジ止め固定されている。このように、当該本体部２２を固定する支持脚４４を本体部２２に立設することで、例えば、板金を折り曲げた支持金具によって本体部２２を固定する場合に比べ、本体部２２の固定構造を簡素化かつ小型化できる。
【００２６】
各支持脚４４は、図８に示すように、内部に中空部４４Ａを備えて中空に形成されている。また、フィン部４５には、連通部４５Ａが形成されており、連通部４５Ａによって中空部４４Ａ間が連通されている。このように、支持脚４４及びフィン部４５を中空にすることで支持脚ユニット４１を軽量化できる。
本体部２２の上面２２Ａには、図８及び図１０に示すように、引出口３３が開口し、この引出口３３を通じて光源２５から延びる電線（不図示）が、本体部２２から引き出される。このとき引出口３３をシールするために、この引出口３３にブッシング３４を嵌合し、このブッシング３４に電線が通される。照明ユニット１０は、パッキン２７及びブッシング３４によって、防水構造に構成されている。
【００２７】
また、本体部２２の上面２２Ａには、貫通孔（通気孔）３５が形成され、この貫通孔３５にはフィルタ３６が設けられている。このフィルタ３６は、防塵、防水機能を持ったフィルタであり、このフィルタ３６によって通気性を持ちながら、内部への浸水や塵埃の汚染を防止する。本体部２２に貫通孔３５を形成し、貫通孔３５にフィルタ３６を設けることで、照明ユニット１０が防水構造であっても、本体部２２内の空気が貫通孔３５を介して流通する。すなわち、光源２５の点灯時には、光源２５の発熱によって、本体部２２内の空気が加熱されて膨張するので、本体部２２内の空気は貫通孔３５から外部に排出される。一方、光源２５の消灯時には、光源２５の発熱によって加熱されて膨張した空気が、外部の大気温度等によって冷却されて収縮するので、外部の空気が貫通孔３５から本体部２２内に入り込むこととなる。
【００２８】
引出口３３及び貫通孔３５は、支持脚ユニット４１の直下に配置され、具体的には、引出口３３及び貫通孔３５はそれぞれ支持脚４４の中空部４４Ａ内に位置している。これにより、引出口３３及び貫通孔３５が支持脚４４によって覆われ、引出口３３及び貫通孔３５に塵埃や水等の異物が直接掛かるのが抑制される。また、引出口３３からの電線は、支持脚４４の中空部４４Ａ内に引き出されて、支持脚４４によって保護される。
【００２９】
引出口３３が配置される側（一方）の支持脚４４には、図９に示すように、中空部４４Ａを外部に開口させる開口部３７が形成され、引出口３３を通された電線は開口部３７から外部に引き出される。また、上述したように、２本の支持脚４４の中空部４４Ａは連通部４５Ａによって連通しているため、貫通孔３５を出た本体部２２内の空気は開口部３７から外部に排出され、外部の空気が開口部３７から導入される。このように、２本の支持脚４４の中空部４４Ａを連通部４５Ａによって連通させることで、他方の支持脚４４から一方の支持脚４４に通気させることができるので、貫通孔３５が配置される側（他方）の支持脚４４に通気用の開口部を別途設ける必要がない。
天板１２には、図５に示すように、貫通孔３８が形成され、開口部３７から引き出された電線は、貫通孔３８を通されて電気回路ボックス３に配線される。本実施形態では、照明ユニット１０のそれぞれに貫通孔３８を形成しているが、複数の照明ユニット１０に共通する貫通孔３８を形成しても良い。
【００３０】
また、本体部２２の上面２２Ａには、放熱フィンユニット４０を囲む位置に多数のフィン部（ガード）４７が立設されている。これらフィン部４７は、アルミダイカスト成型により本体部２２の一部として一体に成型され、高い剛性、及び放熱性が確保されている。
放熱フィンユニット４０の周囲にフィン部４７が設けられることで、これらフィン部４７によって放熱フィンユニット４０がガードされている。また、放熱フィンユニット４０の周囲にフィン部４７を設けることで、フィン部４７によって放熱フィンユニット４０が側方（斜め下方）から見えにくくなるので、放熱フィンユニット４０を本体部２２に別体に備えても、高天井照明器具１の意匠性を維持できる。さらに、上述したように、照明ユニット１０の周囲にはリング状外枠１４を配置したため、リング状外枠１４によって照明ユニット１０（特に、放熱フィンユニット４０）を保護できる。
【００３１】
放熱フィン４２とフィン部４７とは、図６及び図７に示すように、相互に位置を揃えて配置され、放熱フィン４２間の通気性が確保されている。また、放熱フィン４２とフィン部４７とを相互に揃えることで、フィン部４７によって放熱フィン４２が見えにくくなり、高天井照明器具１の意匠性を維持できる。
放熱フィン４２の配列方向両側に位置するフィン部４７は、放熱フィン４２の面部を覆うために、放熱フィン４２と揃えて配置されるフィン部４７よりも比較的大きく形成されている。本実施形態では、放熱フィン４２の配列方向両側に位置するフィン部４７の略中央に切り欠き部４７Ａを形成することで、当該フィン部４７が軽量化されている。
【００３２】
また、フィン部４７は放熱フィン４２よりも低く形成され、これにより、フィン部４７が軽量化されている。高天井照明器具１は比較的高い場所に取り付けられるため、フィン部４７が放熱フィン４２よりも低くても、フィン部４７によって放熱フィン４２が見えにくくなる。
支持脚４４は、放熱フィン４２と天板１２との間に所定の距離Ｌ（図２）を空ける高さに設定されており、これにより、放熱フィン４２の通気性が確保されている。
【００３３】
次いで、放熱フィンユニット４０について詳細に説明する。
図１２は、非固定状態の放熱フィンユニット４０を示す斜視図である。図１３は非固定状態の放熱フィンユニット４０を示す図であり、図１３（Ａ）は平面図、図１３（Ｂ）は側面図である。
放熱フィンユニット４０は、図１２に示すように、１枚以上（本実施形態では、１枚）の薄板５０を波状に折り曲げて形成されたコルゲート型の放熱体であり、略Ｕ字状の複数の放熱フィン４２と、放熱フィン４２間を連結する平板状の固定部４３とを備えている。複数の固定部４３は同一平面上に位置されており、放熱フィンユニット４０は、本体部２２の上面２２Ａ（図１１）である取付面に複数の固定部４３を接触させて当該上面２２Ａに取り付けられる。
【００３４】
詳述すると、固定部４３には、図１３に示すように、複数（本実施形態では、８つ）の位置決め穴４３Ａ、及び、複数（本実施形態では、８つ）の取付孔４３Ｂが形成されている。また、本体部２２の上面２２Ａには、図１１に示すように、位置決め穴４３Ａに対応する位置に位置決め突起２２Ａ１が、取付孔４３Ｂに対応する位置に突起２２Ａ２が、それぞれ本体部２２と一体に形成されている。放熱フィンユニット４０は、図７に示すように、位置決め突起２２Ａ１及び突起２２Ａ２がそれぞれ位置決め穴４３Ａ及び取付孔４３Ｂに挿入されるように上面２２Ａに配置され、取付孔４３Ｂを貫通した突起２２Ａ２を上方から潰す（カシメる）ことによって上面２２Ａに固定される。
【００３５】
このように、１枚の薄板５０を折り曲げて複数の放熱フィン４２を形成したため、複数の放熱フィン４２を１つの部品にできるので、各放熱フィン４２を別体に形成する場合に比べ、部品点数を削減し、製造工程を簡素化できる。
また、この放熱フィンユニット４０をカシメによって固定することで、例えばネジ等の締結具で固定する場合に比べ、締結具が不要になるので、部品点数を削減できるとともに、複数の締結具を締結必要がなくなるので、製造工程を簡素化できる。さらに、本体部２２の上面２２Ａに設けた位置決め突起２２Ａ１と、放熱フィンユニット４０の位置決め突起２２Ａ１とにより位置決めしたため、放熱フィンユニット４０のカシメによる固定中に放熱フィンユニット４０が移動してしまうことを防止できる。
【００３６】
本実施形態では、最外の固定部４３、及び、最外の固定部４３から３つ目の固定部４３の４つの固定部４３に、位置決め穴４３Ａ及び取付孔４３Ｂが形成されている。但し、位置決め穴４３Ａ及び取付孔４３Ｂは、これらの固定部４３に限定されるものではなく、例えば、全ての固定部４３に形成しても良い。また、１つの固定部４３に位置決め穴４３Ａ及び取付孔４３Ｂを形成したが、位置決め穴４３Ａ及び取付孔４３Ｂを異なる固定部４３に形成しても良い。位置決め穴４３Ａ及び取付孔４３Ｂの数は、任意に変更可能であり、異なる数としても良い。さらに、本実施形態では、位置決め穴４３Ａは貫通孔として形成されているが、例えば凹部であっても良い。
【００３７】
放熱フィンユニット４０は、図１３に示すように、上面２２Ａに固定される前の非固定状体（自立状態）で隣接する固定部４３間に隙間εが形成されるように折り曲げられている。具体的には、各放熱フィン４２は、略円弧状の先端部４２Ａと、先端部４２Ａから両側の固定部４３に延出する２つの直線部４２Ｂとを備えている。各放熱フィン４２の２つの直線部４２Ｂは、平行ではなく、先端部４２Ａから固定部４３に向けて互いに広がっている。
【００３８】
放熱フィンユニット４０は、位置決め突起２２Ａ１及び突起２２Ａ２が位置決め穴４３Ａ及び取付孔４３Ｂにそれぞれ挿入されて上面２２Ａに配置されると、図７に示すように、隣接する固定部４３が接触する。このとき、図１０に示すように、各放熱フィン４２の２つの直線部４２Ｂは、固定部４３側では接触するものの、固定部４３と反対側に位置する先端部４２Ａが略円弧状に形成されていることから、先端部４２Ａ側では接触しない。これにより、各放熱フィン４２がバルーン状を成し、各放熱フィン４２の２つの直線部４２Ｂ間に空間Ｒを設けることができるので、各放熱フィン４２の２つの直線部４２Ｂの全体を接触させた場合に比べ、放熱フィンユニット４０の放熱性を向上できる。
【００３９】
放熱フィンユニット４０は、耐食性を有するアルミニウム製の薄板５０で形成されている。高天井照明器具１は屋外でも使用される場合があるため、放熱フィンユニット４０は耐食性のある塗料で塗装されることが好ましい。放熱フィンユニット４０は、折り曲げによる塗装の剥離を防止するべく、薄板５０を折り曲げ成形した後に塗装される。
【００４０】
図１４は、塗装時の放熱フィンユニット４０を示す斜視図である。図１５は塗装時の放熱フィンユニット４０を示す図であり、図１５（Ａ）は平面図、図１５（Ｂ）は側面図である。
放熱フィンユニット４０は、図１４及び図１５に示すように、複数の放熱フィン４２の配列方向Ｄに広げられて塗装される。詳述すると、放熱フィンユニット４０は、複数の取付孔４３Ｂの一部又は全部に治具（不図示）が挿入されて、隣接する直線部４２Ｂの間隔が広がるように固定されて、カチオン電着塗装が施される。これにより、放熱フィンユニット４０が薄板５０を折り曲げた複数の放熱フィン４２を備えていても、放熱フィンユニット４０の全体を塗装できるので、放射性及び耐食性を確実に向上できる。また、各放熱フィン４２の先端部４２Ａが略円弧状に形成されているため、各放熱フィン４２の２つの直線部４２Ｂの間を容易に広げることができるので、先端部４２Ａ及びその両側の直線部４２Ｂを確実に塗装できる。また、カチオン電着塗装を用いることで、薄板５０を折り曲げて形成した放熱フィンユニット４０の全体を均一に塗装できる。さらに、カチオン電着塗装によって、放熱フィンユニット４０を黒色に着色できるので、放射率を向上できる。
【００４１】
また、放熱フィンユニット４０の配列方向Ｄの両側の端部４０Ａは複数の固定部４３と同一平面上に平板状に形成されており、端部４０Ａは、放熱フィンユニット４０が本体部２２の上面２２Ａに取り付けられた際に、上面２２Ａに接触する。端部４０Ａには、位置決め穴４３Ａ及び取付孔４３Ｂが形成されていない。すなわち、位置決め穴４３Ａ及び取付孔４３Ｂを有する固定部４３は、最外の放熱フィン４２の内側に形成されている。これにより、端部４０Ａが自由端となるため、放熱フィンユニット４０の薄板５０の公差や薄板５０の折り曲げ公差があったとしても、位置決め穴４３Ａ及び取付孔４３Ｂの位置を容易に合わせることができ、その結果、放熱フィンユニット４０を容易に固定できる。
【００４２】
塗装時に放熱フィンユニット４０を広げた際に、最外の放熱フィン４２の２つの直線部４２Ｂの基部４２Ｃは互いに接触する。端部４０Ａは自由端であるため、最外の放熱フィン４２の基部４２Ｃには振動等により隙間が生じることから、及び／又は、最外の放熱フィン４２の内側には空間Ｒがあることから、最外の放熱フィン４２の内側に塗装は施される。最外の放熱フィン４２の基部４２Ｃは塗料によって接着する。
【００４３】
以上説明したように、本実施形態によれば、高天井照明器具１は、光源２５が収められた本体部２２と、本体部２２に取り付けられた複数の薄板状の放熱フィン４２と、を備え、放熱フィン４２は１枚以上の薄板５０を折り曲げて形成されている構成とした。この構成により、本体部２２がダイカスト製であっても、薄板状の放熱フィン４２を本体部２２と別体に備えたため、高天井照明器具１を軽量化できる。また、薄板５０を折り曲げて複数の放熱フィン４２を形成したため、各放熱フィン４２を別体に形成する場合に比べ、部品点数を削減し、製造工程を簡素化できる。
【００４４】
また、本実施形態によれば、放熱フィン４２はカチオン電着塗装が施されているため、薄板５０を折り曲げて形成した複数の放熱フィン４２を均一に塗装できる。
【００４５】
また、本実施形態によれば、高天井照明器具１は、放熱フィン４２は本体部２２の上面２２Ａに接触する固定部４３を備え、固定部４３には取付孔４３Ｂが設けられ、本体部２２の上面２２Ａに設けられた突起２２Ａ２が取付孔４３Ｂを貫通した状態でカシメによって固定されている構成とした。この構成により、部品点数を削減できるとともに、製造工程を簡素化できる。
【００４６】
また、本実施形態によれば、高天井照明器具１は、放熱フィン４２は本体部２２の上面２２Ａに接触する固定部４３を備え、本体部２２の上面２２Ａに位置決め突起２２Ａ１を有し、放熱フィン４２の固定部４３には、位置決め突起２２Ａ１に対応する位置に位置決め穴４３Ａが設けられている構成とした。この構成により、放熱フィンユニット４０のカシメによる固定中に放熱フィン４２が移動してしまうことを防止できる。
【００４７】
また、本実施形態によれば、本体部２２は、ダイカストであり、放熱フィン４２を取り付ける取付面の放熱フィン４２の周囲にフィン部４７を一体に備え、放熱フィン４２の取付面からの高さはフィン部４７より高い構成とした。この構成により、ダイカスト製のフィン部４７を軽量化できる。
【００４８】
但し、上述の実施形態は本発明の一態様であり、本発明の趣旨を逸脱しない範囲において適宜変更可能であるのは勿論である。
例えば、上述の実施形態では、放熱フィンユニット４０は、１枚の薄板５０で形成されていたが、複数の薄板５０で形成されても良い。
また、上述の実施形態では、放熱フィンユニット４０は、カチオン電着塗装によって黒色に塗装されていたが、塗装は、黒色に限定されるものではなく、また他の塗料によって塗装しても良い。また、放熱フィンユニット４０に塗装を施さなくても良い。
【００４９】
また、上述の実施形態では、放熱フィンユニット４０はカシメにより固定されていたが、突起２２Ａ２に代えて固定孔を本体部２２の上面２２Ａに形成し、この固定孔及び取付孔４３Ｂを用いてネジ等の締結具によって固定しても良い。
また、上述の実施形態では、最外の放熱フィン４２から内側に１つ目の固定部４３に取付孔４３Ｂを形成したため、最外の放熱フィン４２の基部４２Ｃが塗料により接着していたが、取付孔４３Ｂを形成する固定部４３はこれに限定されるものではない。塗装時の治具が挿入される最外の取付孔４３Ｂより外側にある放熱フィン４２の基部４２Ｃが塗料により接着することとなる。
【００５０】
上述の実施形態では、外枠をリング状外枠１４として説明したが、外枠の形状はこれに限定されず、例えば、四角状でも良い。
また、上述の実施形態では、リング状外枠１４を、複数の照明ユニット１０を配置した際の最大外径より大きく形成したが、当該最大外径以下に形成しても良い。
また、上述の実施形態では、リング状外枠１４は一体に形成されていたが、周方向に分割された複数の枠片を備えて構成されても良い。この場合、リング状外枠は、照明ユニット１０を連結する枠片と、照明ユニット１０のフランジ部１１Ａ（外周部）と合わせて環状に形成されれば良い。
【００５１】
また、上述の実施形態では、複数の照明ユニット１０に対して１つの連結具１６を設けていたが、連結具１６の数はこれに限定されるものではない。
【００５２】
また、上述の実施形態では、フィン部４７を放熱フィン４２よりも低く形成したが、フィン部４７を放熱フィン４２と同等の高さにしても良いし、フィン部４７を放熱フィン４２よりも高く形成しても良い。
【００５３】
また、上述の実施形態では、支持脚４４を２本としたが、支持脚４４の本数はこれに限定されるものではなく、例えば、３本以上であっても良い。
また、上述の実施形態では、支持脚４４を天板１２に固定したが、支持脚４４を天井面（取り付け面）に直接固定してもよい。
【００５４】
また、上述の実施形態では、各照明ユニット１０の本体部２２を円筒状に形成したが、本体部２２の形状はこれに限定されるものではなく、例えば、本体部２２を四角筒状に形成してもよい。
【００５５】
また、上述の実施形態では、高天井照明器具１は２つの照明ユニット１０を備えていたが、３つ以上の照明ユニット１０を備えても良いし、図１６の高天井照明器具１００に示すように、１つの照明ユニット１０を備えていても良い。この場合、連結具１６及びリング状外枠１４は不要である。
また、上述の実施形態では、電気回路ボックス３が照明器具本体２に設けていたが、図１７の高天井照明器具２００に示すように、電気回路ボックス３を照明器具本体２に設けずに、電気回路ボックス（不図示）を照明器具本体２から離れた箇所に別置し、当該電気回路ボックス３と照明器具本体２を配線する構成としても良い。図１７中、符号２０４は、固定具４に代えて設けたパイプであり、高天井照明器具２００は、パイプ２０４を介して天井面に固定される。
【００５６】
また、上述の実施形態では、光源２５にＣＯＢ型ＬＥＤを用いていたが、光源２５はＬＥＤに限定されるものではなく、例えば有機ＥＬ等の他の発光素子であっても良い。
また、上述の実施形態では、照明器具として高天井照明器具を説明したが、本発明はこれに限らず種々の照明器具に適用できる。
【符号の説明】
【００５７】
１  高天井照明器具（照明器具）
２２  本体部
２５  光源
２２  放熱フィン
２２Ａ  上面（取付面）
２２Ａ１  位置決め突起
２２Ａ２  突起
４３  固定部
４３Ａ  位置決め穴
４３Ｂ  取付孔
４７  フィン部
【図１】
2017103104.tif 000003
【図２】
2017103104.tif 000004
【図３】
2017103104.tif 000005
【図４】
2017103104.tif 000006
【図５】
2017103104.tif 000007
【図６】
2017103104.tif 000008
【図７】
2017103104.tif 000009
【図８】
2017103104.tif 000010
【図９】
2017103104.tif 000011
【図１０】
2017103104.tif 000012
【図１１】
2017103104.tif 000013
【図１２】
2017103104.tif 000014
【図１３】
2017103104.tif 000015
【図１４】
2017103104.tif 000016
【図１５】
2017103104.tif 000017
【図１６】
2017103104.tif 000018
【図１７】
2017103104.tif 000019